(57)【要約】【課題】より小さい力で操作可能である柱用鉄骨の水平位置修正用治具を提供すること。【解決手段】本発明の治具は本体（２０）を有する。本体は、両柱用鉄骨のエレクションピース（１６，１８）の少なくとも一部をそれぞれ受け入れ可能である空間（３０）と一方のエレクションピースの両側面に向けて空間にそれぞれ開放する一対のスリット（３１）とを有し、また一方のエレクションピースに対してその側面に向けて水平方向へ相対変位可能である。治具は、さらに、本体の各スリットを経て空間（３０）内に伸び、一方のエレクションピースの側面と各スリットの端部とに当接可能である楔部材（２６）と、本体に揺動可能にそれぞれ支持された一対の雄ねじ部材（２２）と、両楔部材にそれぞれ揺動可能に取り付けられかつ両雄ねじ部材に噛合された一対の雌ねじ部材（２４）と、他方のエレクションピースを本体に固定するための固定手段（２８）とを備える。【選択図】　図１
2004060271.tif 000002
【特許請求の範囲】
【請求項１】
先に設置された柱用の下方の鉄骨と、該鉄骨上に載置されこれに継ぎ足される上方の鉄骨との間に生じた水平方向に関する位置的関係を修正すべく、前記下方の鉄骨の上端部及び前記上方の鉄骨の下端部にそれぞれ取り付けられた上下方向に伸びかつ互いに相対する両側面を有する一対のエレクションピースに適用される治具であって、
両エレクションピースの少なくとも一部をそれぞれ受け入れ可能である空間と、該空間に受け入れられる一方のエレクションピースの両側面に向けて前記空間にそれぞれ開放する一対のスリットとを有し、また前記空間に受け入れられる一方のエレクションピースに対してその側面に向けて水平方向へ相対変位可能である本体と、
前記本体の各スリットを経て前記本体の空間内に伸びる楔部材であって前記本体の空間に受け入れられる一方のエレクションピースの側面と前記本体の各スリットの端部とに当接可能である楔部材と、
前記本体に揺動可能にそれぞれ支持された一対の雄ねじ部材と、
両楔部材にそれぞれ揺動可能に取り付けられた一対の雌ねじ部材であって両雄ねじ部材にそれぞれ噛合された一対の雌ねじ部材と、
前記本体の空間に受け入れられる他方のエレクションピースを前記本体に固定するための固定手段とを含む、治具。
【請求項２】
前記本体は、両雄ねじ部材がそれぞれ取り付けられた一対の張出部を有する、請求項１に記載の治具。
【請求項３】
各スリットの端部が傾斜面からなる、請求項１に記載の治具。
【請求項４】
前記固定手段は、前記本体に設けられたねじ孔と、該ねじ孔に噛合されたボルトであって、前記本体の空間に受け入れられる他方のエレクションピースに当接可能であるボルトとからなる、請求項１に記載の治具。
【発明の詳細な説明】
【０００１】
【発明の属する技術分野】
本発明は、鉄骨柱の建方において、先に設置された柱用の下方の鉄骨と、該鉄骨上に配置されこれに継ぎ足される上方の鉄骨との間に生じた水平方向に関する位置的関係の修正に用いられる治具に関する。
【０００２】
【従来の技術】
従来、下方の鉄骨上に載置された上方の鉄骨の水平方向に関する位置を修正するための治具が提案されている（特開平１１−３０３４０４号）。
【０００３】
この治具は、下方の鉄骨の上端部及び上方の鉄骨の下端部にそれぞれ取り付けられ上下方向に伸びかつ互いに相対する両側面を有する一対のエレクションピースに固定される本体と、４つのボルトとを備える。
【０００４】
前記治具の本体は、両エレクションピースの一部を受け入れ可能である空間を有する。前記空間は、これに受け入れられる下方の鉄骨のエレクションピースの側面に向けて前記本体が水平方向に相対変位が可能である大きさ、より詳細には幅寸法を有する。前記本体は、また、前記空間に受け入れられる下方の鉄骨のエレクションピースの両側面に向けてそれぞれ伸びる一対のねじ孔と、前記空間に受け入れられる上方の鉄骨のエレクションピースの側面に向けて伸びる２つのねじ孔とを有する。これらの４つのねじ孔には、それぞれ、前記４つのボルトが噛合されている。
【０００５】
前記従来の治具は、上方の鉄骨の水平方向に関する位置的関係の修正の際、下方の鉄骨及びこれに載置された上方の鉄骨の両エレクションピースに取り付けられ、その本体の空間に両エレクションピースの一部を受け入れる。前記本体は、前記２つのボルトを回転操作させて上方の鉄骨のエレクションピースの側面に突き当てることにより、該エレクションピースに固定される。
【０００６】
固定後、他の一対のボルトの一方を回転操作により該ボルトを前進させて下方の鉄骨のエレクションピースの側面に突き当て、かつ他方のボルトの回転操作による後退を行うと、下方の鉄骨のエレクションピースに対して前記治具の本体及び該本体に固定された上方の鉄骨に水平方向への相対変位が生じ、下方の鉄骨に対する上方の鉄骨の水平方向位置の修正が行われる。
【０００７】
しかし、前記一方のボルトを前進させるための回転操作には該ボルトの頭部に大きいトルクを加える必要があるところ、過大なトルクの付加によって前記ボルトの頭部が潰れることがある。頭部が潰れたボルトはねじ孔からの抜き出しが不可能となるために切断され、治具としての使用が不可能となる。また、大きいトルクを加えるために必要な腕の長い工具の持ち運びは不便であった。
【０００８】
【発明が解決しようとする課題】
本発明の目的は、より小さい力で操作可能である柱用鉄骨の水平位置修正用治具を提供することにある。
【０００９】
【課題を解決するための手段】
本発明は、先に設置された柱用の下方の鉄骨と、該鉄骨上に載置されこれに継ぎ足される上方の鉄骨との間に生じた水平方向に関する位置的関係を修正すべく、前記下方の鉄骨の上端部及び前記上方の鉄骨の下端部にそれぞれ取り付けられた上下方向に伸びかつ互いに相対する側面を有する一対のエレクションピースに適用される治具を提供する。
【００１０】
本発明に係る治具は、本体を有する。本体は、両エレクションピースの少なくとも一部をそれぞれ受け入れ可能である空間を有し、該空間に受け入れられる一方のエレクションピースの両側面に向けて前記空間にそれぞれ開放する一対のスリットを有し、また前記空間に受け入れられる一方のエレクションピースに対してその側面に向けて水平方向へ相対変位可能である。本発明の治具は、さらに、前記本体の各スリットを経て前記本体の空間内に伸びる楔部材であって前記本体の空間に受け入れられる一方のエレクションピースの側面と前記本体の各スリットの端部とに当接可能である楔部材と、前記本体に揺動可能にそれぞれ支持された一対の雄ねじ部材と、両楔部材にそれぞれ揺動可能に取り付けられた一対の雌ねじ部材であって両雄ねじ部材にそれぞれ噛合された一対の雌ねじ部材と、前記本体の空間に受け入れられる他方のエレクションピースを前記本体に固定するための固定手段とを備える。
【００１１】
前記本体が、両雄ねじ部材が取り付けられる一対の張出部を有するものとすることができる。好ましくは、各スリットの端部が傾斜面からなる。また、前記固定手段は、前記本体に設けられたねじ孔と、該ねじ孔に噛合された、前記本体の空間に受け入れられる他方のエレクションピースに当接可能であるボルトとからなるものとすることができる。
【００１２】
【発明の作用および効果】
本発明に係る治具は、下方の鉄骨及びこれに載置された上方の鉄骨に対し、本体の空間に両鉄骨のエレクションピースの一部を受け入れるように配置され、その固定手段により、一方のエレクションピース、例えば上方の鉄骨のエレクションピースに固定される。
【００１３】
上方の鉄骨のエレクションピースへの前記治具の取り付け後、該治具の本体に揺動可能に保持されている両雄ねじ部材をそれぞれ反対方向へ回転操作する。前記本体に対する一方の雄ねじ部材の一方向への回転により、これと噛合状態にある一方の雌ねじ部材が前記一方の雄ねじ部材の先端に向けて移動する。このとき、前記一方の雌ねじ部材に揺動可能に取り付けられている一方の楔部材が前記一方の雌ねじ部材と共に移動する。このとき、楔部材は前記治具の本体の空間内における下方の鉄骨のエレクションピースに向けて一方のスリットの端部を滑動する。反対に、他方の雄ねじ部材の他方向への回転により、他方の雌ねじ部材が前記他方の雄ねじ部材の頭部に向けて移動し、同時に、前記他方の楔部材が前記本体の空間から抜け出るように移動する。この間、各雄ねじ部材及び各雌ねじ部材がそれぞれ前記本体及び各楔部材に対して揺動する。
【００１４】
前記一方の楔部材の進行に伴い、前記治具本体と該本体の空間内の下方の鉄骨のエレクションピースとが、それぞれ、前記楔部材と接触するスリットの端部と側面とにおいて、次第に増大する押圧力を受ける。その結果、前記下方の鉄骨のエレクションピースに対して、前記治具本体が水平方向へ移動する。前記本体の移動は、これに固定されている上方の鉄骨の水平方向移動を生じさせ、これにより、下方の鉄骨に対する上方の鉄骨の水平方向位置が修正される。
【００１５】
前記楔の移動のために前記雄ねじ部材に加えるべき回転力（トルク）は、前記従来の治具において必要とされるボルトへの付与トルクに比べて小さく、このため、比較的小さいトルクをもって治具の操作を行い、上方の鉄骨を水平方向に変位させることができる。このとき、前記楔部材が接する前記スリットの端部を傾斜面とすることにより、前記雄ねじ部材の回転操作による前記楔部材の移動をより円滑にすることができる。
【００１６】
前記固定手段として、前記従来におけると同様、前記本体に設けられたねじ孔と、該ねじ孔に噛合された、前記本体の空間に受け入れられる上方のエレクションピースに当接可能であるボルトとからなるものとし、前記ボルトの回転操作により、前記本体を前記エレクションピースに固定することができる。
【００１７】
【発明の実施の形態】
図１を参照すると、柱の設置のために先に設置された柱用の下方の鉄骨１０と、該鉄骨上に載置されこれに継ぎ足される上方の鉄骨１２とが示されている。
【００１８】
上方の鉄骨１２は、下方の鉄骨１０に対して水平方向のずれがあるとき、すなわち下方の鉄骨１０と共軸関係にないとき、本発明に係る治具１４を用いて、その水平方向に関する位置的関係を修正することができる。
【００１９】
上方の鉄骨１２は、その水平方向位置の修正後、下方の鉄骨１０に例えば溶接により接合される。前記柱は、さらに上方に載置される他の鉄骨についての位置の修正及び上下両鉄骨の接合を繰り返すことにより形成される。
【００２０】
図示の鉄骨１０，１２は矩形の横断面形状を有するが、本発明は、矩形以外の横断面形状、例えば円形の横断面形状を有する鉄骨についても適用することができる。
【００２１】
下方の鉄骨１０及び上方の鉄骨１２には、それぞれ、板状を呈する複数の鋼製のエレクションピース（以下、単に「ピース」という。）１６，１８が取り付けられている。ピース１６，１８は、それぞれ、各鉄骨１０，１２の周方向へ互いに間隔をおいて配置されかつ各鉄骨に溶接されている（但し、その一つのみを示す。）。
【００２２】
図示のピース１６，１８は全体に矩形状を呈し、前記鉄骨の外周面からその放射方向へ突出し、かつ前記鉄骨の上下方向へ伸びている。各鉄骨へのピース１６，１８の取り付けは、下方の鉄骨１０についてはその設置前に、また上方の鉄骨１２については下方の鉄骨１０上への載置前に予め行われる。
【００２３】
上方の鉄骨１２は、これを下方の鉄骨１０上に載置するとき、両鉄骨のピース１６，１８が上下に互いに相対することとなるように、例えばクレーンで吊り降ろされる。
【００２４】
下方の鉄骨１０上への上方の鉄骨１２の載置後、上方の鉄骨１２に水平方向のずれがあるとき、両鉄骨のピース１６，１８の一方、図示の例では上方の鉄骨のピース１８に治具１４を固定することにより該治具を両ピース１６，１８に取り付ける。
【００２５】
図１及び図２に示すように、治具１４は、鋼製の本体２０と、一対の雄ねじ部材２２と、両雄ねじ部材２２にそれぞれ噛合した一対の雌ねじ部材２４と、一対の楔部材２６と、固定手段２８とを備える。
【００２６】
治具の本体２０は箱形の形態を有する。図示の本体２０は全体に細長く、両鉄骨１０，１２に相対するその開放面から両ピース１６，１８の少なくとも一部を受け入れ可能である１つの空間３０を有する。すなわち、上方のピース１８の上端から下方のピース１６の下端までの距離以上の長さ寸法と、各ピースの幅寸法（厚さ寸法）以上の大きさの幅寸法と、両ピースの両鉄骨１０，１２からの突出長さより小さい奥行寸法とを有する空間３０を備える。単一の空間３０とする図示の例に代えて、両ピース１６，１８の一部をそれぞれ受け入れ可能である２つの空間（図示せず）とすることができる。
【００２７】
本体の空間３０の幅寸法については、特に、上方の鉄骨のピース１８を受け入れる空間部分（上部分）が該ピースの厚さ寸法よりもわずかに大きく、かつ、下方の鉄骨のピース１６を受け入れる空間部分（下部分）が該ピースの厚さ寸法よりもさらに一層大きいものに設定されている。これにより、空間３０の下部分に受け入れられたピース１６に対する治具本体１４の水平方向への相対変位が可能とされている。
【００２８】
本体２０は、その両側部に、互いに相対する一対のスリット３１（図２）をそれぞれ有する。両スリット３１は、空間３０の下部分に受け入れられる下方の鉄骨のピース１６の両側面に向けて空間３０にそれぞれ開放している。各スリット３１には楔部材２６が通されている。各スリット３１の端部（図示の例では下端部）は、好ましくは、楔部材２６が滑動可能である傾斜面３２により規定されている。
【００２９】
楔部材２６は基部３３と、スリット３１を経て伸びる板状の先端部３４とを有する。先端部３４は、互いに協同して全体にＶ形を規定する垂直面３５と傾斜面３６とを有する。垂直面３５は、本体の空間３０内に受け入れられたピース１６の一側面に当接し、また傾斜面３６はスリット３２の前記端部、図示の例では傾斜面３２に当接している。
【００３０】
これによれば、一方（図示の例では右方）の楔部材２６を下方に推し進めかつ他方（同左方）の楔部材２６を上方へ引き上げると、一方の楔部材２６のいわゆる楔作用により、ピース１６と一方のスリット３２との間隔が漸増し、同時にピース１６と他方のスリット３２との間隔が漸減し、ピース１６に対して治具本体２０が水平方向（図２で見て右方）に相対移動する。その結果、治具本体２０と共に上方の鉄骨１２が同方向へ移動し、上方の鉄骨１２の下方の鉄骨１０に対する水平方向の位置ずれが解消される。
【００３１】
楔部材２６の移動は、後述するように、雄ねじ部材２２を回転操作することにより行うことができる。楔部材２６の移動に要する力は、前記従来の治具においてボルトに及ぼすべき水平方向力より小さい。このため、雄ねじ部材２２は従来に比べてより小さい力での回転操作が可能である。
【００３２】
本体２０は、その上下方向におけるほぼ中間部に、両雄ねじ部材２２を支持するための一対のアーム部又は張出部３７を有する。両張出部３７は、それぞれ、本体２０の両側部から互いに反対方向へ伸びている。
【００３３】
図３に示すように、各張出部３７は全体にＨ形の横断面形状を有する。各張出部３７の両先端部分は、それぞれ、雄ねじ部材２２を揺動可能に支持するために設けられたＣ形を呈する一対の切欠き３８を有する（図１，３）。
【００３４】
また、雄ねじ部材２２を支持するため、揺動部材４０が張出部３７の両先端部分間に配置され、かつ両切欠き３８に懸架されている。
【００３５】
他方、雄ねじ部材２２にその軸部から張り出す鍔４２が設けられている。鍔４２は、雄ねじ部材２２の頭部から間隔をおいて配置され、前記頭部と鍔４２との間にねじ山は設けられていない。雄ねじ部材２２の頭部と鍔４２との間に、揺動部材４０と筒状部材４４とが配置されている。
【００３６】
揺動部材４０は、雄ねじ部材２２の一部を取り巻きかつ鍔４２に接する筒状部４６と、該筒状部からその放射方向へ互いに反対に伸びる一対の突部４８とからなる。筒状部４６は張出部３７の両先端部間に位置する。また、各突部４８は、全体に板状を呈し、切欠き３８内に挿入されており、切欠き３８の内周面を規定する円筒面の一部に沿って摺動可能の周面を有する。
【００３７】
また、筒状部材４４は、雄ねじ部材２２の頭部と揺動部材４０との間にあって、雄ねじ部材２２の周囲を取り巻いている。筒状部材４４は、該筒状部材及び雄ねじ部材２２の双方を貫通するピン５０により、雄ねじ部材２２に取り付けられている。
【００３８】
したがって、雄ねじ部材２２は、これを本体２０に支持する揺動部材４０と共にその両突部４４の軸線の周り、すなわち鉄骨１０の表面に対して垂直な軸線の周りに揺動可能である。また、雄ねじ部材２２は、揺動部材４０に対して、その軸線の周りに筒状部材４４と共に回転可能であるが、その軸線方向には移動しない。
【００３９】
他方、各雄ねじ部材２２に噛合されている各雌ねじ部材２４は、各楔部材２６の基部３３に揺動可能に取り付けられている。
【００４０】
楔部材の基部３３は、本体の張出部３７の両先端部分におけると同じ構造を有し、また雌ねじ部材２４は、前記雄ねじ部材を支持する揺動部材４０と同様の仕方で、基部３３に支持されている。
【００４１】
すなわち、基部３３は全体にコ字形を呈し、互いに間隔をおいて相対する両先端部分を有し、該両先端部分に、それぞれ、Ｃ形を呈する一対の切欠き５２が設けられている。また、雌ねじ部材２４はその側部から放射方向へ互いに反対に伸びる一対の突部５４を有する。各突部５４は、突部４８と同様、全体に板状を呈し、切欠き５２内に挿入されており、切欠き５２の内周面を規定する円筒面の一部に沿って摺動可能の周面を有する。したがって、突部５４の前記周面が前記円筒面の一部に沿って摺動するとき、雌ねじ部材２４が鉄骨１０の表面に対して垂直な軸線の周りに揺動する。
【００４２】
これによれば、雄ねじ部材２２を一方向へ回転させるとき、雄ねじ部材２２はその軸線方向へは移動せず、このため、雄ねじ部材２２に噛合した雌ねじ部材２４が雄ねじ部材２２に沿ってその軸線方向へ移動する。このとき、雄ねじ部材２２及び雌ねじ部材２４がそれぞれ治具本体の張出部３７及び楔部材２６に対して揺動運動をし、該揺動運動が、雌ねじ部材２２のこの移動を可能にする。
【００４３】
雌ねじ部材２４の前記揺動及び移動に伴い、楔部材２６がスリット３１に沿ってその長手方向へ移動し、またスリットの傾斜面３２を滑動する。
【００４４】
前記したように、楔部材２６の移動を介在させることにより、上方の鉄骨１２の水平方向移動のために雄ねじ部材２２に加えるべき回転力（トルク）の大きさを比較的小さいものとすることができ、これにより、雄ねじ部材２２にトルクを加えたときの該雄ねじ部材の頭部の潰れを回避することができ、また、雄ねじ部材２２を回転操作するための工具として、比較的腕の短い工具を用いることができる。
【００４５】
治具の本体２０を上方の鉄骨のピース１８に固定するための固定手段２８は、図示の例では、従来の治具の本体におけると同様、本体２０の前記上部分において上下方向に互いに間隔をおいて設けられた一対のねじ孔５６，５８と、これらの両ねじ孔４４，４６にそれぞれ噛合された一対のボルト６０，６２とからなる。
【００４６】
各ねじ孔５６，５８は本体２０の外部から空間３０へ伸び、各ボルト６０，６２の回転操作により、該ボルトの先端部をピース１８の側面に強く押し付けることができる。これにより、本体２０がピース１８に固定される。図示の例に代えて、ねじ孔５６，５８の一方と、これに噛合する両ボルト６０，６２の一方とすることができる。図示の例では、本体の空間３０の前記上部分の幅寸法が比較的小さいため、わずかな量の締め付け操作により、この固定作業行うことができる。
【００４７】
治具１４はこれを上下逆様に配置して、使用することもできる。この場合、治具１４はボルト６０，６２により下方の鉄骨のピース１６に固定され、上方の鉄骨のピース１８に対する楔部材２６の押圧操作により、上方の鉄骨１２の水平方向位置の修正を行う。
【００４８】
符号６４（図１）は、両ピース１６，１８に対する治具１４の固定をより強固にすべく、本体２０の下端に設けられたねじ孔６６に係合されたボルトを示す。ボルト６４はこれを回転させることにより空間３０に進められ、ピース１６の下端面に突き当てられている。
【００４９】
また、符号６８，７０は治具１４の重量軽減のために設けられた、空間３０に連なる開口であり、両開口５６，５８以外の他の開口７２は、上方の鉄骨１２の傾きを修正するための装置（図示せず）を設置するために設けられた、空間３０に連なる開口である。
【図面の簡単な説明】
【図１】柱用の上下両鉄骨に適用された、本発明に係る治具の正面図である。
【図２】治具の縦断面図である。
【図３】図２の線３−３に沿って得た断面図である。
【図４】図２の線４−４に沿って得た断面図である。
【符号の説明】
１０，１２　下方及び上方の柱用鉄骨
１４　治具
１６，１８　エレクションピース
２０，３０　本体及びこれに設けられた空間
２２，２４　雄ねじ部材及び雌ねじ部材
２６　楔部材
２８　固定手段
【図１】
2004060271.tif 000003
【図２】
2004060271.tif 000004
【図３】
2004060271.tif 000005
【図４】
2004060271.tif 000006